(57)【要約】【課題】回転部材への操作に伴って操作感触が得られ、操作を解除した際に回転部材を初期状態に確実に復帰させることが可能な回転型電気部品を提供する。【解決手段】カム突部２２ｄは、回転部材２０に設けられ、円弧状に形成された突堤部２２ｆと、先端側に向かうにしたがって幅寸法が小さくなるように形成された楔部２２ｅとを有している。一対のばね片３２、３３は、固定部材１０に保持されているとともに、カム突部２２ｄを挟持してカム突部２２ｄの内周側および外周側の周面を摺動可能に設けられている。初期状態において、カム突部２２ｄと一対のばね片３２、３３とは離間しており、復帰部材４０の付勢力に抗した回転部材２０の一方向への回転に伴って、カム突部２２ｄと一対のばね片３２、３３とが相対的に回転移動することによって接触し、さらに、一対のばね片３２、３３がカム突部２２ｄの楔部２２ｅから突堤部２２ｆへと摺動する。【選択図】図１４
2016091611.tif 000002
【特許請求の範囲】
【請求項１】
少なくとも２つの端子が設けられた固定部材と、
前記固定部材に対して所定角度の範囲で回転操作可能な回転部材と、
前記回転部材の回転操作に伴って操作感触を生起する感触発生手段と、
初期状態から一方向へ回転操作された前記回転部材を初期状態に復帰させる復帰部材と、を備え、前記回転部材の回転操作に伴って前記少なくとも２つの端子間の導通状態が切換えられる回転型電気部品において、
前記感触発生手段は、カム突部と一対のばね片とを備えてなり、
前記カム突部は、前記固定部材と前記回転部材とのいずれか一方の部材に設けられ、前記固定部材と前記回転部材とのいずれか他方の部材側へ突出するとともに円弧状に形成された突堤部と、前記突堤部の一端部側に設けられ先端側に向かうにしたがって幅寸法が小さくなるように形成された楔部とを有し、
前記一対のばね片は、前記他方の部材に保持されているとともに、前記カム突部を挟持して当該カム突部の内周側および外周側の周面を摺動可能に設けられ、
初期状態において、前記カム突部と前記一対のばね片とは離間しており、
前記回転部材の一方向への回転に伴って、前記カム突部と前記一対のばね片とが相対的に回転移動することによって接触し、前記一対のばね片が前記カム突部の前記楔部から前記突堤部へと摺動することを特徴とする回転型電気部品。
【請求項２】
前記他方の部材に保持された板ばね部材を具備し、
前記板ばね部材は、前記一対のばね片と、前記一対のばね片をつなぐ基部と、を有し、
前記一対のばね片は、前記基部の離間した二箇所から互いに対向するように前記カム突部側へ延設されていることを特徴とする請求項１に記載の回転型電気部品。
【請求項３】
前記板ばね部材には、前記一対のばね片の延設方向と交差する方向へ突出する突出片が前記基部から延設されており、
前記突出片は、前記他方の部材に取り付けられる取付部を有するとともに、前記基部と前記取付部との間には、前記突出片が捩れるように変形可能な弾性変形部が設けられていることを特徴とする請求項２に記載の回転型電気部品。
【請求項４】
前記突出片は、板状に形成されているとともに、前記取付部は、前記弾性変形部よりも幅が広い幅広部を有し、
前記他方の部材には、前記突出片が挿入される穴部が設けられており、
前記幅広部の両端部が、前記幅広部の両端部に対向する前記穴部の壁部と係合しているとともに、前記弾性変形部は、前記穴部を構成する前記壁部と隙間を有して対向して配置されていることを特徴とする請求項３に記載の回転型電気部品。
【請求項５】
前記一対のばね片は、前記カム突部の内周側および外周側の前記周面を挟むように摺接する一対の摺接部を有するとともに、前記一対の摺接部より先端側に、前記一対の摺接部の間隔よりも間隔が広い一対の案内部を有することを特徴とする請求項２ないし請求項４のいずれかに記載の回転型電気部品。
【請求項６】
前記他方の部材には、前記基部の一面と当接可能に対向する第１突部が設けられるとともに、前記基部の他面と当接可能に対向する第２突部が設けられていることを特徴とする請求項２ないし請求項５のいずれかに記載の回転型電気部品。
【請求項７】
前記回転部材に前記カム突部が設けられ、前記固定部材に前記板ばね部材が設けられていることを特徴とする請求項２ないし請求項６のいずれかに記載の回転型電気部品。
【発明の詳細な説明】
【技術分野】
【０００１】
本発明は、回転型電気部品に関し、特に、回転部材への回転操作に伴って操作感触が得られる回転型電気部品に関する。
【背景技術】
【０００２】
ラジオコントロールで操作可能な玩具の操作装置などに回転型電気部品が用いられることがある。
【０００３】
このような回転型電気部品は、入力操作する手元から目を離した状態で操作されることが多いので、入力操作が行われたときにクリック感などの操作感触を発生させる構成を備えていることが好ましい。
【０００４】
従来の操作感触を発生させる構成としては、特許文献１に記載の節度装置９００が有する感触発生手段が知られている。
【０００５】
図１９は、従来の節度装置９００の構成を示す模式断面図である。従来の節度装置９００は、図１９に示すように、節度凹部９３４が設けられたベース部９２１と、収容部９３０が形成された回転体９２４ と、回転体９２４を回転させる操作レバー９２６と、を備えている。また、収容部９３０に収容配置されるとともに、節度凹部９３４に係合可能な節度ボール９３１と、節度ボール９３１を節度凹部９３４へ押圧付勢するばね９３２と、を備えている。
【０００６】
ベース部９２１と回転体９２４とは対向配置されているとともに、回転操作によって節度凹部９３４の開口部と収容部９３０の開口部とは対向配置可能となっている。なお、ばね９３２は、収容部９３０と節度凹部９３４との位置が重なっていないときには、節度ボール９３１を、収容部９３０の開口部と対向して設けられたベース部９２１の節度凹部９３４以外の平坦面へ押圧付勢している。そのため、節度ボール９３１とベース部９２１との当接面には摩擦力が発生するので、操作レバー９２６を回転操作して回転体９２４を回転させる操作者には、摩擦力による抵抗感が僅かに伝わる。
【０００７】
その後、回転体９２４が回転して収容部９３０の開口部と節度凹部９３４の開口部との位置が重なって節度ボール９３１が収容部９３０から更に突出可能となったとき、節度ボール９３１が節度凹部９３４へ押圧付勢される。この際、節度ボール９３１は、ばね９３２の付勢力によって節度凹部９３４へ入り込もうとするため、この節度ボール９３１が節度凹部９３４の開口端部（平坦面との段差部）を押圧する力は、回転体９２４の回転動作を補助するように作用するものとなり、回転体９２４を回転操作する操作感触は軽くなる。この操作感触の変化が節度感触（クリック感）として、操作者に伝わる。
【０００８】
さらに、回転体９２４が回転操作されて収容部９３０の開口部と節度凹部９３４の開口部との位置がずれるとき、節度ボール９３１は、節度凹部９３４に係合した位置から節度凹部９３４の開口端部を乗越えた位置へと移行して収容部９３０の内部へと収まる。このとき、操作レバー９２６を回転操作する操作者には、一瞬重たくなった直後に軽くなるような操作感触が伝わる。
【先行技術文献】
【特許文献】
【０００９】
【特許文献１】実用新案登録第２５７５５３３号公報
【発明の概要】
【発明が解決しようとする課題】
【００１０】
ところで、このような回転体９２４（操作レバー９２６）の回転操作に伴って、節度感触が得られる回転型電気部品において、回転操作後に操作を解除した場合に、回転体９２４を操作前の初期状態に復帰ばね等によって戻したいという要望がある。しかしながら、前述した節度装置９００は、節度ボール９３１が節度凹部９３４から平坦面側へと段差を乗り上げる必要があることから、復帰ばねの付勢力が弱かったり、逆に、節度ボール９３１を押圧するばね９３２の付勢力が強かったりすると、復帰ばねによって、節度ボール９３１が節度凹部９３４から抜け出すことができず、回転操作を解除しても回転体９２４が初期状態に復帰できない場合が生じるという課題があった。
【００１１】
本発明は、上述した課題を解決するもので、回転部材への回転操作に伴って操作感触が得られるとともに、操作を解除した際には、回転部材を初期状態に確実に復帰させることが可能な回転型電気部品を提供することを目的とする。
【課題を解決するための手段】
【００１２】
本発明は、少なくとも２つの端子が設けられた固定部材と、前記固定部材に対して所定角度の範囲で回転操作可能な回転部材と、前記回転部材の回転操作に伴って操作感触を生起する感触発生手段と、初期状態から一方向へ回転操作された前記回転部材を初期状態に復帰させる復帰部材と、を備え、前記回転部材の回転操作に伴って前記少なくとも２つの端子間の導通状態が切換えられる回転型電気部品において、前記感触発生手段は、カム突部と一対のばね片とを備えてなり、前記カム突部は、前記固定部材と前記回転部材とのいずれか一方の部材に設けられ、前記固定部材と前記回転部材とのいずれか他方の部材側へ突出するとともに円弧状に形成された突堤部と、前記突堤部の一端部側に設けられ先端側に向かうにしたがって幅寸法が小さくなるように形成された楔部とを有し、前記一対のばね片は、前記他方の部材に保持されているとともに、前記カム突部を挟持して当該カム突部の内周側および外周側の周面を摺動可能に設けられ、初期状態において、前記カム突部と前記一対のばね片とは離間しており、前記回転部材の一方向への回転に伴って、前記カム突部と前記一対のばね片とが相対的に回転移動することによって接触し、前記一対のばね片が前記カム突部の前記楔部から前記突堤部へと摺動することを特徴とする。
【００１３】
これによれば、回転部材が初期状態から一方向へ回転するのに伴って、一対のばね片は、カム突部の周面に沿って楔部から円弧状の突堤部へ摺動する。一対のばね片が楔部を挟んで摺動しているときには、楔部の幅寸法が徐々に大きくなるため、ばね片は、徐々に大きく弾性変形し、その変形量に応じた復元力によってカム突部の周面から徐々に強い力を受けるようになる。そのため、回転部材を操作する操作者に伝わる抵抗感(操作荷重)が徐々に強くなる。そして、一対のばね片が楔部を過ぎて突堤部を挟んで摺動する際には、一対のばね片の形状は殆ど変化しないので、操作者に伝わる抵抗感は急激に小さくなり、この抵抗感の変化によって、操作者は節度感触を得ることができる。また、回転部材への操作を解除した復帰時には、一対のばね片は、カム突部の円弧状の突堤部から幅寸法が徐々に小さくなる楔部に移行するものとなるため、その際に、一対のばね片がカム突部の段差部を乗り上げるようなことはない。このため、操作者が回転操作を解除した際には、復帰部材によって、回転部材を確実に初期状態に復帰させることが可能となる。さらに、一対のばね片がカム突部を挟持しているので、回転部材には、内周側および外周側から、カム突部によって弾性変形させられる一対のばね片からの付勢力が加わり、内周側あるいは外周側の一方へ偏った力を受けにくくなる。そのため、カム突部の内周側あるいは外周側の周面が偏摩耗することは抑制され、良好な操作感触を長期間にわたって得ることができる。
【００１４】
また、本発明の回転型電気部品において、前記他方の部材に保持された板ばね部材を具備し、前記板ばね部材は、前記一対のばね片と、前記一対のばね片をつなぐ基部と、を有し、前記一対のばね片は、前記基部の離間した二箇所から互いに対向するように前記カム突部側へ延設されていることを特徴とする。
【００１５】
これによれば、一つの部材で一対のばね片を構成できるので、取扱いや組み立てが容易になる。
【００１６】
また、本発明の回転型電気部品において、前記板ばね部材には、前記一対のばね片の延設方向と交差する方向へ突出する突出片が前記基部から延設されており、前記突出片は、前記他方の部材に取り付けられる取付部を有するとともに、前記基部と前記取付部との間には、前記突出片が捩れるように変形可能な弾性変形部が設けられていることを特徴とする。
【００１７】
これによれば、板ばね部材の基部と取付部との間に設けられた弾性変形部が捩れるように変形することによって、一対のばね片が均等に近い荷重でカム突部に摺接するため、一方のばね片にのみ荷重が加わってカム突部の内周側および外周側の周面が偏摩耗することをいっそう抑制できる。これにより、良好な操作感触を長期間にわたって得ることができる。
【００１８】
また、本発明の回転型電気部品において、前記突出片は、板状に形成されているとともに、前記取付部は、前記弾性変形部よりも幅が広い幅広部を有し、前記他方の部材には、前記突出片が挿入される穴部が設けられており、前記幅広部の両端部が、前記幅広部の両端部に対向する前記穴部の壁部と係合しているとともに、前記弾性変形部は、前記穴部を構成する前記壁部と隙間を有して対向して配置されていることを特徴とする。
【００１９】
これによれば、弾性変形部は、穴部を構成する壁部に妨げられることがないので、確実に捩れるように変形することができる。
【００２０】
また、本発明の回転型電気部品において、前記一対のばね片は、前記カム突部の内周側および外周側の前記周面を挟むように摺接する一対の摺接部を有するとともに、前記一対の摺接部より先端側に、前記一対の摺接部の間隔よりも間隔が広い一対の案内部を有することを特徴とする。
【００２１】
これによれば、一対のばね片の先端部に間隔が広がっている一対の案内部を設けることで、回転部材を回転操作した際に、カム突部が一対のばね片の間に案内されやすくなる。よって、ばね片の先端にカム突部が衝突しばね片を座屈させる不具合が発生し難くなる。
【００２２】
また、本発明の回転型電気部品において、前記他方の部材には、前記基部の一面と当接可能に対向する第１突部が設けられるとともに、前記基部の他面と当接可能に対向する第２突部が設けられていることを特徴とする。
【００２３】
これによれば、カム突部と一対のばね片とが摺接する際に、一対のばね片から荷重を受ける基部を第１突部あるいは第２突部に当接させて支えることができるようになるので、良好な操作感触を得ることができる。
【００２４】
また、本発明の回転型電気部品において、前記回転部材に前記カム突部が設けられ、前記固定部材に前記板ばね部材が設けられていることを特徴とする。
【００２５】
これによれば、回転操作される回転部材と、操作感触を発生させるカム突部との間に、弾性部材が介在しないので、操作感触が、鈍ることなく良好に操作者に伝えられる。
【発明の効果】
【００２６】
本発明によれば、感触発生手段は、カム突部と一対のばね片とを備えてなり、回転部材の一方向への回転操作に伴って、一対のばね片がカム突部の楔部から突堤部へと摺動する構成としたので、一対のばね片の位置が徐々に幅広となる楔部から円弧状の突堤部へ移行する際に、節度感触を得ることができる。また、回転部材への操作を解除した際には、一対のばね片の位置は突堤部から徐々に幅寸法が小さくなる楔部側へ移行するものとなるので、ばね片が段差部を乗り上げるようなことはないことから、復帰部材によって、回転部材を確実に初期状態に復帰させることが可能となる。
【図面の簡単な説明】
【００２７】
【図１】本発明の第１実施形態の回転型電気部品を斜め上方から見た斜視図である。
【図２】本発明の第１実施形態の回転型電気部品を示す正面図である。
【図３】本発明の第１実施形態の回転型電気部品を示す平面図である。
【図４】本発明の第１実施形態の回転型電気部品を斜め上方から見た分解斜視図である。
【図５】固定部材を斜め上方から見た斜視図である。
【図６】固定部材を斜め下方から見た斜視図である。
【図７】固定部材を上方から見た平面図である。
【図８】板ばね部材を示す説明図であり、図８（ａ）は平面図、図８（ｂ）は正面図、図８（ｃ）は左側面図である。
【図９】回転部材を斜め下方から見た斜視図である。
【図１０】固定部材に板ばね部材を取り付けた状態を示す説明図である。
【図１１】図１０のＢ部の拡大図である。
【図１２】図１１のＸＩＩ−ＸＩＩ線で切断した断面図である。
【図１３】図１２の高さＨにおける穴部と板ばね部材との配置を説明する模式図である。
【図１４】図２のＸＩＶ−ＸＩＶ線で切断した断面図である。
【図１５】感触発生手段の構成を示す説明図であり、図１４の断面における回転操作時の状態を示す説明図である。
【図１６】図１５からさらに回転操作した感触発生手段の状態を示す説明図である。
【図１７】図１６からさらに回転操作した感触発生手段の状態を示す説明図である。
【図１８】図１７からさらに回転操作した感触発生手段の状態を示す説明図である。
【図１９】従来の節度装置の構成を示す模式断面図である。
【発明を実施するための形態】
【００２８】
［第１実施形態］
以下、本発明の第１実施形態の回転型電気部品１について、図１〜図９を用いて説明する。なお、分かりやすいように、図面は寸法を適宜変更している。
【００２９】
図１は、第１実施形態の回転型電気部品１を斜め上方から見た斜視図である。図２は、回転型電気部品１を示す正面図である。図３は、回転型電気部品１を示す平面図である。図４は、回転型電気部品１を斜め上方から見た分解斜視図である。図５は、固定部材１０を斜め上方から見た斜視図である。図６は、固定部材１０を斜め下方から見た斜視図である。図７は、固定部材１０を上方から見た平面図である。図８は、板ばね部材３０を示す説明図であり、図８（ａ）は平面図、図８（ｂ）は正面図、図８（ｃ）は左側面図である。図９は、回転部材２０を斜め下方から見た斜視図である。
【００３０】
回転型電気部品１は、図１〜図４に示すように、固定部材１０と、回転部材２０と、板ばね部材３０と、復帰部材４０と、フレーム５０と、を備えてなる。回転型電気部品１において、操作体である回転部材２０は、フレーム５０に形成された側面開口孔５９から突出する操作部２２ｈを備えた回転本体２２を有し、操作部２２ｈを操作するように構成されている。
【００３１】
なお、本実施形態において、回転型電気部品１の構成を分かりやすく説明するために、図１のＺ１方向から見て、回転部材２０の回転軸ＡＡの周りを時計回りに回る回転方向をＣＣ方向と呼ぶ。
【００３２】
固定部材１０は、図５および図６に示すように、ウエハ１２と、２つの端子１８ａ、１８ｂとを備えている。ウエハ１２は、合成樹脂を成型してなる成型体である。ウエハ１２は、底壁を構成する基底部１２ａと、この基底部１２ａから上方（Ｚ１方向）に立設された円柱部１２ｂおよび円筒壁１２ｃとを備えている。内周側に位置する円柱部１２ｂと外周側に位置する円筒壁１２ｃとは、Ｚ１方向から見て同心円状になっており、それらの間に、基底部１２ａよりも高さ（Ｚ１方向における位置）の高い台部１２ｄが形成されている。台部１２ｄは、外周側に位置する円筒壁１２ｃに連続して形成されており、台部１２ｄの内周面と円柱部１２ｂとの間には、後述する復帰部材４０の巻回部４０ａが配置される収容部１２ｋが設けられている。また、図７に示すように、台部１２ｄには、復帰部材４０の一方の腕部４０ｂが挿入される凹状の係止部１２ｍが設けられている。ウエハ１２と、端子１８ａ、１８ｂとは、インサート成型によって固定されている。ただし、端子１８ａ、１８ｂが、ウエハ１２に圧入されている構成としても良い。端子１８ａ、１８ｂは、打ち抜き加工によって形成した金属製の平板を屈曲させることによって形成された金属片であり、ウエハ１２の基底部１２ａおよび台部１２ｄを上下方向に貫通して埋設されている。この端子１８ａ、１８ｂの上面（Ｚ１側の面）は、後述する可動接点体２８が摺動する固定接点を構成している。なお、図６および図7には、端子１８ａ、１８ｂ以外の端子も埋設されているが、本明細書では説明を省略する。基底部１２ａには、図７に示すように、穴部１２ｅと第１突部１２ｆと第２突部１２ｇとが設けられている（図１１参照）。穴部１２ｅは、Ｚ１方向に開口を有する穴である。穴部１２ｅを形成する壁部は、Ｚ１方向から見たとき四角形の形状を有している。第１突部１２ｆは、台部１２ｄから突出するように穴部１２ｅの一方向（ＣＣ方向）側に設けられている。第１突部１２ｆは、図５に示すように、円筒壁１２ｃと連続して、ほぼ同じ高さに形成されている。第２突部１２ｇは、台部１２ｄから突出するように穴部１２ｅの他方向側に設けられている。第２突部１２ｇは、円筒壁１２ｃおよび第１突部１２ｆとの間に隙間を有している。なお、基底部１２ａの外周面には、複数の係合突部１２ｈが設けられている。
【００３３】
板ばね部材３０は、弾性を有する金属の薄板を加工したものである。板ばね部材３０は、図８に示すように、一対のばね片３２、３３と、一対のばね片３２、３３をつなぐ基部３１と、を有し、クリップ状に形成されている。また、板ばね部材３０には、基部３１から延出する突出片３６が設けられている。ばね片３２は、摺接部３２ａと、摺接部３２ａよりも先端側に設けられた案内部３２ｂと、を備えている。ばね片３３は、摺接部３３ａと、摺接部３３ａよりも先端側に設けられた案内部３３ｂと、を備えている。一対のばね片３２、３３は、基部３１の離間した二箇所から互いに対向するように延設されており、摺接部３２ａと摺接部３３ａとが互いに押し合うような付勢力が付与されている。突出片３６は、板状に形成されているとともに、一対のばね片３２、３３の延設方向と交差する方向（Ｚ２方向）へ突出して、弾性変形部３４と取付部３５とを有している。この取付部３５は、弾性変形部３４よりも幅が広い幅広部３５ａを備えている。また、突出片３６は、基部３１と取付部３５との間に、弾性変形部３４を有しているので、基部３１と取付部３５との間で捩れるように変形可能になっている。
【００３４】
復帰部材４０は、弾性を有する金属の線材を加工したトーションばねで構成された復帰ばねである。復帰部材４０は、図４に示すように、円筒コイル状に形成された巻回部４０ａと、巻回部４０ａの両端部に設けられた一対の腕部４０ｂとを有している。巻回部４０ａは、固定部材１０の収容部１２ｋと後述する回転部材２０の収容部２２ｋとによって構成される収容空間に配置される。また、一方の腕部４０ｂは、固定部材１０の係止部１２ｍに係止されるとともに、他方の腕部４０ｂは、回転部材２０の係止部２２ｍに係止される。このように構成された復帰部材４０によって、固定部材１０に対して回転可能に保持された回転部材２０は、回転操作前の初期状態に復帰する。
【００３５】
フレーム５０は、合成樹脂を成型してなる成型体である。また、金属を加工して成形したものであってもよい。フレーム５０は、図４に示すように、天板部５１と、側壁５２と、係止脚５３と、を備えている。天板部５１は、平板状で円形に形成されている。側壁５２は、天板部５１の円周縁部からＺ２方向に延在する円筒形状に形成され、側面開口孔５９が設けられている。この側面開口孔５９の範囲内を、操作部２２ｈが回動可能となっており、これにより、回転部材２０の回転範囲が所定角度の範囲に制限されている。また、係止脚５３は、係合孔を有するとともに、側壁５２の下端部から延設されて形成されている。そして、係止脚５３の係合孔に固定部材１０の係合突部１２ｈが係合することで、固定部材１０とフレーム５０とが一体化される。
【００３６】
操作体である回転部材２０は、図９に示すように、回転本体２２と、可動接点体２８と、を備えている。
【００３７】
回転本体２２は、合成樹脂を成型してなる成型体である。回転本体２２は、内壁２２ａと外壁２２ｂとが円筒状に形成され、それぞれが固定部材１０の円柱部１２ｂと円筒壁１２ｃとに摺接可能になっている。すなわち、回転部材２０（回転本体２２）は、固定部材１０によって回転可能に保持されている。回転本体２２には、レバー状の操作部２２ｈが外壁２２ｂから径方向の外方に向かって突出するように形成されている。なお、操作部２２ｈの先端は球状に形成されているが、この形状に限定されるものではない。回転本体２２の内壁２２ａと外壁２２ｂとの間には、中間壁２２ｇが円筒状に設けられており、この中間壁２２ｇの内側は、復帰部材４０の巻回部４０ａが配置される収容部２２ｋとなっている。中間壁２２ｇの一部には、上方（Ｚ１方向）に窪んだ係止部２２ｍが形成されており、この係止部２２ｍに、復帰部材４０の他方の腕部４０ｂが係止される。内壁２２ａと外壁２２ｂとの間には、回転部材２０の天井部を構成する上部壁が形成されている。収容部２２ｋに位置する上部壁は、他の部分の上部壁よりも肉厚となっている。中間壁２２ｇと外壁２２ｂとの間には、上部壁の一部を構成する平坦部２２ｃが形成されるとともに、平坦部２２ｃから固定部材１０の基底部１２ａ側（Ｚ２方向側）に突出したカム突部２２ｄが形成されている。カム突部２２ｄは、突堤部２２ｆと、楔部２２ｅとを備えている。突堤部２２ｆは、円弧状であり、回転部材２０の回転軸ＡＡ（図１参照）を中心とする円周上に沿って配置されている。突堤部２２ｆのＣＣ方向には、楔部２２ｅが形成されており、その幅は回転軸ＡＡを中心とする円周上でＣＣ方向に向かって先細りになっている。板ばね部材３０の一対のばね片３２、３３は、カム突部２２ｄを外周側と内周側とから挟持し、回転部材２０の回転動作に伴って、一対のばね片３２、３３（摺接部３２ａ、３３ａ）とカム突部２２ｄの外周側および内周側の周面とが所定の範囲内で摺動する。回転軸ＡＡを中心とする円弧状に形成された突堤部２２ｆは、少なくとも一対のばね片３２、３３と摺動する範囲において、幅寸法（外周と内周との間の幅寸法）が一定となるように構成されている。また、突堤部２２ｆの一端部側に設けられた楔部２２ｅは、先端側に向かうにしたがって、徐々に幅寸法が小さくなっている。このように、カム突部２２ｄの外周側および内周側の周面は、一対のばね片３２、３３と摺動する範囲において、凹部が存在しないものとなっている。
【００３８】
可動接点体２８は、導電性を有する金属の薄板を加工したものである、可動接点体２８は、円弧状であり、回転部材２０の回転軸ＡＡ（図１参照）を中心とする円周上に配置されている。可動接点体２８の円周方向の両端は可動接点部２８ａ、２８ｂになっており、ばね弾性を有している。この可動接点体２８は、回転本体２２の上部壁にカシメなどの手段によって固定されている。なお、図９では、可動接点体２８以外の可動接点体を省略している。
【００３９】
本実施形態の回転型電気部品１は、上述したように、固定部材１０に２つの端子１８ａ、１８ｂを備え、回転部材２０に可動接点体２８を備えている。復帰部材４０の付勢力によって、回転部材２０が初期状態にあるときは、可動接点体２８の可動接点部２８ｂが端子１８ａに摺接しているが、端子１８ｂには、いずれの可動接点部２８ａ、２８ｂも摺接していない。可動接点部２８ａ、２８ｂが端子１８ａ、１８ｂの両方またはいずれか一方に摺接していない場合には、２つの端子１８ａ、１８ｂ間が非導通状態である。回転部材２０の回転操作に伴って、可動接点部２８ａが端子１８ａと、可動接点部２８ｂが端子１８ｂと、に同時に摺接すると、２つの端子１８ａ、１８ｂ間の導通状態が得られる。こうして、回転部材２０の回転操作に伴って少なくとも２つの端子１８ａ、１８ｂ間の導通状態が切換えられる。
【００４０】
次に、本実施形態の回転型電気部品１における感触発生手段６０の構成について、図１０〜図１８を用いて説明する。
【００４１】
図１０は、固定部材１０に板ばね部材３０を取り付けた状態を示す説明図である。図１１は、図１０のＢ部の拡大図である。図１２は、図１１のＸＩＩ−ＸＩＩ線で切断した断面図である。図１３は、図１２の高さＨにおける穴部１２ｅと板ばね部材３０との配置を説明する模式図である。図１４は、図２のＸＩＶ−ＸＩＶ線で切断した断面図である。図１５は、感触発生手段６０の構成を示す説明図であり、図１４の断面における回転操作時の状態を示す説明図である。図１６は、図１５からさらに回転操作した感触発生手段６０の状態を示す説明図である。図１７は、図１６からさらに回転操作した感触発生手段６０の状態を示す説明図である。図１８は、図１７からさらに回転操作した感触発生手段６０の状態を示す説明図である。なお、図１５ないし図１８においては、初期状態に位置するカム突部２２ｄを仮想線（二点鎖線）で示している。
【００４２】
本実施形態における感触発生手段６０は、カム突部２２ｄと一対のばね片３２、３３とを備えてなる（図１５参照）。本実施形態の回転型電気部品１において、感触発生手段６０は、回転部材２０にカム突部２２ｄが設けられ、固定部材１０に板ばね部材３０が設けられている。
【００４３】
一対のばね片３２、３３は、図１０および図１１に示すように、固定部材１０に保持された板ばね部材３０の基部３１から延設されている。ばね片３２、３３を別々に作製して組み立てることも可能であるが、一つの部材で一対のばね片３２、３３を構成することにより、取扱いや組み立てが容易になる。前述のように、板ばね部材３０の突出片３６は、板状に形成されているとともに、取付部３５は、弾性変形部３４よりも幅が広い幅広部３５ａを有している（図８参照）。固定部材１０には、突出片３６が挿入される穴部１２ｅが設けられている。図１２に示すように、幅広部３５ａの両端部に対向する穴部１２ｅの一対の壁部は、幅広部３５ａの両端部が係合（嵌合）する間隔を有して対向配置されており、この間隔の寸法は弾性変形部３４の幅よりも大きくなっている。そして、弾性変形部３４は、図１３に示すように、穴部１２ｅを構成する全ての壁部と隙間を有して対向して配置されている。このため、弾性変形部３４は、穴部１２ｅを構成する壁部に妨げられることなく、捩れるように変形可能となっている。また、固定部材１０の第１突部１２ｆと第２突部１２ｇとの間隙は、対向する基部３１の板厚より広く、弾性変形部３４の変形に大きく影響を及ぼさない（図１１参照）。なお、板ばね部材３０は、幅広部３５ａが穴部１２ｅを構成する一対の壁部に係合して固定されることによって、固定部材１０に取り付けられている。
【００４４】
一方、カム突部２２ｄは、固定部材１０に対して所定角度の範囲で回転操作可能な回転部材２０の回転本体２２に形成されている（図９参照）。また、回転部材２０は、復帰部材４０によって初期状態（図１参照）を保持するように付勢されている。
【００４５】
図１４に示すように、初期状態で、カム突部２２ｄは一対のばね片３２、３３と離間した位置にある。したがって、操作部２２ｈを操作する操作者は復帰部材４０による付勢力を感じながら、回転部材２０を初期状態から一方向（図１のＣＣ方向）へ回転操作することになる。
【００４６】
回転部材２０の回転動作に伴って、カム突部２２ｄと板ばね部材３０の一対のばね片３２、３３とが相対的に回転移動することによって接触する。図１５に示すように、カム突部２２ｄが一対のばね片３２、３３の位置に到達すると、最初に楔部２２ｅとばね片３２、３３の先端側にある案内部３２ｂ、３３ｂとが接触する。このとき、操作部２２ｈを操作する操作者は抵抗感を感じるようになる。固定部材１０には、板ばね部材３０の基部３１の一面と当接可能に対向する第１突部１２ｆが設けられるとともに、基部３１の他面と当接可能に対向する第２突部１２ｇが設けられている。これにより、カム突部２２ｄと一対の案内部３２ｂ、３３ｂとが接触した際に、一対のばね片３２、３３から荷重を受ける基部３１を第１突部１２ｆに当接させて支えることができる。
【００４７】
さらに操作部２２ｈを回転操作すると、図１６に示すように、カム突部２２ｄの楔部２２ｅが一対のばね片３２、３３の摺接部３２ａ、３３ａを押し広げるように摺動して、一対のばね片３２、３３の間に案内される。板ばね部材３０のばね片３２、３３は、一対の摺接部３２ａ、３３ａがカム突部２２ｄの内周側および外周側の周面を挟むように摺接する。このとき、板ばね部材３０の基部３１と取付部３５との間に設けられた弾性変形部３４が捩れるように変形することによって、一対のばね片３２、３３がほぼ同等の荷重で摺接する。一対のばね片３２、３３が楔部２２ｅを挟んで摺動しているときには、楔部２２ｅの幅寸法が徐々に大きくなるため、ばね片３２、３３は、徐々に大きく弾性変形するとともに、その変形量に応じた復元力によってカム突部２２ｄの周面から徐々に強くなる力を受ける。このため、操作者は、抵抗感（操作荷重）が徐々に増していくように感じる。
【００４８】
図１７に示すように、カム突部２２ｄの突堤部２２ｆが一対のばね片３２、３３の摺接部３２ａ、３３ａを押し広げるように摺動する位置まで回転操作されると、一対のばね片３２、３３の変形量は最大となり、その変形量に応じた復元力は最大となる。このため、図１７の状態に至る瞬間に、操作者に伝わる抵抗感は最大となる。
【００４９】
さらに操作部２２ｈが回転操作されて、図１８に示す回し切り状態（押し切り状態）までの間は、カム突部２２ｄの突堤部２２ｆが一対のばね片３２、３３の摺接部３２ａ、３３ａと摺動する。図１７に示す回転位置を過ぎてからは、一対のばね片３２、３３の摺接部３２ａ、３３ａの間隔が更に広げられるようなことはない。このため、摺接部３２ａ、３３ａが楔部２２ｅを摺動することによって、図１５に示す回転位置から操作者が感じていた抵抗感は急激に小さくなる。そして、この抵抗感の変化によって、操作者は節度感触（クリック感）を感じることができる。なお、図１７から図１８に至る回転位置では、一対のばね片３２、３３が突堤部２２ｆを挟んで摺動しており、一対のばね片３２、３３の形状は殆ど変化しない。この間、一対のばね片３２、３３の変形量に応じた復元力は一定であるので、操作者に伝わる抵抗感はほぼ一定となる。
【００５０】
このように、図１４の初期状態から図１８の回し切り状態に至る間に、カム突部２２ｄの周面を一対のばね片３２、３３が付勢する力が変化することで、節度感触を伴った操作感触を得ることができる。回転操作される回転部材２０と、操作感触を発生させるカム突部２２ｄとの間に、弾性部材が介在しないので、操作感触が、鈍ることなく良好に操作者に伝えられる。
【００５１】
また、本実施形態の回転型電気部品１においては、初期状態から一方向へ回転操作された回転部材２０を、復帰部材４０が初期状態に復帰させるように付勢し続けている。このため、操作者が回転部材２０（操作部２２ｈ）への操作を解除したり、操作力を弱めると、回転部材２０は初期状態に戻ろうとする。回転部材２０の復帰時には、一対のばね片３２、３３は、カム突部２２ｄの突堤部２２ｆから楔部２２ｅに移行するものとなる。すなわち、一対のばね片３２、３３の摺接部３２ａ、３３ａが挟持する位置は、円弧状の突堤部２２ｆから幅寸法が徐々に小さくなる楔部２２ｅ側へと移り、一対のばね片３２、３３がカム突部２２ｄによって、その変形量が大きくなる方向へ変形することはない。このため、回転部材２０への回転操作を解除した際には、回転部材２０は、復帰部材４０の付勢力によって、図１４に示す初期状態に復帰する。
【００５２】
以上のように、本実施形態の回転型電気部品１においては、復帰部材４０の付勢力に抗して回転部材２０を一方向へ回転操作した際には、節度感触を伴った操作感触を得ることができ、回転操作を解除した際には、回転部材２０を初期状態に復帰させることができる。
【００５３】
以下、本実施形態としたことによる効果について説明する。
【００５４】
本実施形態の回転型電気部品１は、少なくとも２つの端子１８ａ、１８ｂが設けられた固定部材１０と、固定部材１０に対して所定角度の範囲で回転操作可能な回転部材２０と、回転部材２０を初期状態に復帰させる復帰部材４０と、を備える。回転型電気部品１は、回転部材２０の回転操作に伴って少なくとも２つの端子１８ａ、１８ｂ間の導通状態が切換えられる。そして、初期状態から一方向へ回転操作された回転部材２０の回転に伴って操作感触を生起する感触発生手段６０を備えている。感触発生手段６０は、カム突部２２ｄと一対のばね片３２、３３とを備えてなる。カム突部２２ｄは、回転部材２０に設けられ、固定部材１０側へ突出するとともに円弧状に形成された突堤部２２ｆと、突堤部２２ｆの一端部側に設けられ先端側に向かうにしたがって幅寸法が小さくなるように形成された楔部２２ｅとを有している。一対のばね片３２、３３は、固定部材１０に保持されているとともに、カム突部２２ｄを挟持してカム突部２２ｄの内周側および外周側の周面を摺動可能に設けられている。初期状態において、カム突部２２ｄと一対のばね片３２、３３とは離間しており、回転部材２０の一方向への回転動作に伴って、カム突部２２ｄと一対のばね片３２、３３とが相対的に回転移動することによって接触し、さらに、一対のばね片３２、３３がカム突部２２ｄの楔部２２ｅから突堤部２２ｆへと摺動することを特徴とする。
【００５５】
これによれば、回転部材２０が初期状態から一方向へ回転するのに伴って、一対のばね片３２、３３は、カム突部２２ｄの周面に沿って楔部２２ｅから円弧状の突堤部２２ｆへ摺動する。一対のばね片３２、３３が楔部２２ｅを挟んで摺動しているときには、楔部２２ｅの幅寸法が徐々に大きくなるため、ばね片３２、３３は、徐々に大きく弾性変形し、その変形量に応じた復元力によってカム突部２２ｄの周面から徐々に強い力を受けるようになる。そのため、回転部材２０を操作する操作者に伝わる抵抗感(操作荷重)が徐々に強くなる。そして、一対のばね片３２、３３が楔部２２ｅを過ぎて突堤部２２ｆを挟んで摺動する際には、一対のばね片３２、３３の形状は殆ど変化しないので、操作者に伝わる抵抗感は急激に小さくなり、この抵抗感の変化によって、操作者は節度感触を得ることができる。また、回転部材２０への操作を解除した復帰時には、一対のばね片３２、３３は、カム突部２２ｄの円弧状の突堤部２２ｆから幅寸法が徐々に小さくなる楔部２２ｅに移行するものとなるため、その際に、一対のばね片３２、３３がカム突部２２ｄの段差部を乗り上げるようなことはない。このため、操作者が回転部材２０への回転操作を解除した際には、復帰部材４０の付勢力によって、回転部材２０を確実に初期状態に復帰させることが可能となる。さらに、一対のばね片３２、３３がカム突部２２ｄを挟持しているので、回転部材２０には、内周側および外周側から、カム突部２２ｄによって弾性変形させられる一対のばね片３２、３３からの付勢力（復元力）が加わり、内周側あるいは外周側の一方へ偏った力を受けにくくなる。そのため、カム突部２２ｄの内周側あるいは外周側の周面が偏摩耗することは抑制され、良好な操作感触を長期間にわたって得ることができる。
【００５６】
また、本実施形態の回転型電気部品１において、固定部材１０に保持された板ばね部材３０を具備し、板ばね部材３０は、一対のばね片３２、３３と、一対のばね片３２、３３をつなぐ基部３１と、を有している。そして、一対のばね片３２、３３は、基部３１の離間した二箇所から互いに対向するようにカム突部２２ｄ側へ延設されている。これによれば、一つの部材で一対のばね片３２、３３を構成できるので、取扱いや組み立てが容易になる。
【００５７】
また、本実施形態の回転型電気部品１において、感触発生手段６０は、回転部材２０にカム突部２２ｄが設けられ、固定部材１０に板ばね部材３０が設けられている。これによれば、回転操作される回転部材２０と、操作感触を発生させるカム突部２２ｄとの間に、弾性部材が介在しないので、操作感触が、鈍ることなく良好に操作者に伝えられる。
【００５８】
また、本実施形態の回転型電気部品１において、板ばね部材３０には、一対のばね片３２、３３の延設方向と交差する方向へ突出する突出片３６が基部３１から延設されており、突出片３６は、固定部材１０に取り付けられる取付部３５を有する。そして、基部３１と取付部３５との間には、突出片３６が捩れるように変形可能な弾性変形部３４が設けられている。
【００５９】
これによれば、板ばね部材３０の基部３１と取付部３５との間に設けられた弾性変形部３４が捩れるように変形することによって、一対のばね片３２、３３が均等に近い荷重で摺接する。このため、一方のばね片にのみ荷重が加わってカム突部２２ｄの内周側および外周側の周面が偏摩耗することをいっそう抑制できる。これにより、良好な操作感触を長期間にわたって得ることができる。
【００６０】
また、本実施形態の回転型電気部品１において、突出片３６は、板状に形成されているとともに、取付部３５は、弾性変形部３４よりも幅が広い幅広部３５ａを有している。また、固定部材１０には、突出片３６が挿入される穴部１２ｅが設けられている。そして、幅広部３５ａの両端部が、幅広部３５ａの両端部に対向する穴部１２ｅの壁部と係合しているとともに、弾性変形部３４は、穴部１２ｅを構成する壁部と隙間を有して対向して配置されている。
【００６１】
これによれば、弾性変形部３４は、穴部１２ｅを構成する壁部に妨げられることがないので、確実に捩れるように変形することができる。
【００６２】
また、本実施形態の回転型電気部品１において、一対のばね片３２、３３は、カム突部２２ｄの内周側および外周側の周面を挟むように摺接する一対の摺接部３２ａ、３３ａを有する。さらに、一対のばね片３２、３３は、一対の摺接部３２ａ、３３ａより先端側に、一対の摺接部３２ａ、３３ａの間隔よりも間隔が広い一対の案内部３２ｂ、３３ｂを有する。
【００６３】
これによれば、一対のばね片３２、３３の先端部に間隔が広がっている一対の案内部３２ｂ、３３ｂを設けることで、回転部材２０を回転操作した際に、カム突部２２ｄが一対のばね片３２、３３の間に案内されやすくなる。よって、ばね片の先端にカム突部２２ｄが衝突しばね片を座屈させる不具合が発生し難くなる。
【００６４】
また、本実施形態の回転型電気部品１において、固定部材１０には、基部３１の一面と当接可能に対向する第１突部１２ｆが設けられるとともに、基部３１の他面と当接可能に対向する第２突部１２ｇが設けられている。
【００６５】
これによれば、カム突部２２ｄと一対のばね片３２、３３とが摺接する際に、一対のばね片から荷重を受ける基部３１を第１突部１２ｆあるいは第２突部１２ｇに当接させて支えることができるようになるので、良好な操作感触を得ることができる。
【００６６】
以上のように、本発明の第１実施形態の回転型電気部品１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００６７】
（１）本実施形態において、感触発生手段６０は、回転部材２０にカム突部２２ｄが設けられ、固定部材１０に板ばね部材３０が設けられている構成としたが、カム突部とばね片の配置を反対とするように変更してもよい。すなわち、一方の部材にカム突部２２ｄが設けられ、他方の部材に板ばね部材３０が設けられていればよい。また、回転部材２０は操作部２２ｈを突出させる構成としたが、円柱状の操作つまみであってもよい。
【００６８】
（２）本実施形態において、一対のばね片３２、３３は、一つの部材で構成されているものとしたが、異なる部材で構成し、別々に組み立てるようにしてもよい。
【００６９】
（３）本実施形態において、突堤部２２ｆの幅寸法を一定としたが、周面に凹部を有さなければ、幅寸法が楔部２２ｅよりも小さい変化率で変化していてもよい。この場合には、回転部材２０を確実に復帰させるために、楔部から離れるにしたがって幅寸法が楔部よりも緩やかに増加する突堤部とするのが好ましい。
【００７０】
（４）本実施形態において、突堤部２２ｆの幅寸法を一定としたが、突堤部の幅寸法が楔部から離れるにしたがって大きくなるものであれば、幅を段階的に変化させることによって、多段の操作感触が得られるようにしてもよい。
【００７１】
（５）本実施形態において、回転型電気部品１を回転部材２０の回転操作に伴って少なくとも２つの端子１８ａ、１８ｂ間の導通状態が切換えられる構成としたが、これに限らず、抵抗値が変化する回転型電気部品に感触発生手段６０を適用した構成としてもよい。
【符号の説明】
【００７２】
１      回転型電気部品
１０    固定部材
１２    ウエハ
１２ａ  基底部
１２ｂ  円柱部
１２ｃ  円筒壁
１２ｄ  台部
１２ｅ  穴部
１２ｆ  第１突部
１２ｇ  第２突部
１２ｈ  係合突部
１２ｋ  収容部
１２ｍ  係止部
１８ａ  端子
１８ｂ  端子
２０    回転部材
２２    回転本体
２２ａ  内壁
２２ｂ  外壁
２２ｃ  平坦部
２２ｄ  カム突部
２２ｅ  楔部
２２ｆ  突堤部
２２ｇ  中間壁
２２ｈ  操作部
２２ｋ  収容部
２２ｍ  係止部
２８    可動接点体
２８ａ  可動接点部
２８ｂ  可動接点部
３０    板ばね部材
３１    基部
３２    ばね片
３２ａ  摺接部
３２ｂ  案内部
３３    ばね片
３３ａ  摺接部
３３ｂ  案内部
３４    弾性変形部
３５    取付部
３５ａ  幅広部
３６    突出片
４０    復帰部材
４０ａ  巻回部
４０ｂ  腕部
５０    フレーム
５１    天板部
５２    側壁
５３    係止脚
５９    側面開口孔
６０    感触発生手段
ＡＡ    回転軸
ＣＣ    回転方向
【図１】
2016091611.tif 000003
【図２】
2016091611.tif 000004
【図３】
2016091611.tif 000005
【図４】
2016091611.tif 000006
【図５】
2016091611.tif 000007
【図６】
2016091611.tif 000008
【図７】
2016091611.tif 000009
【図８】
2016091611.tif 000010
【図９】
2016091611.tif 000011
【図１０】
2016091611.tif 000012
【図１１】
2016091611.tif 000013
【図１２】
2016091611.tif 000014
【図１３】
2016091611.tif 000015
【図１４】
2016091611.tif 000016
【図１５】
2016091611.tif 000017
【図１６】
2016091611.tif 000018
【図１７】
2016091611.tif 000019
【図１８】
2016091611.tif 000020
【図１９】
2016091611.tif 000021